(57)【要約】【課題】マザーボード及びサーバーを提供することである。【解決手段】スイッチング回路、ＳＡＴＡコネクター及びＰＣＩＥ×１６コネクターを備えるマザーボードであって、スイッチング回路は、ＳＡＴＡコネクター及びＰＣＩＥ×１６コネクターに接続され、ＰＣＩＥ×１６コネクターは、ＳＡＳカードに接続され、スイッチング回路は、ＳＡＴＡ信号を受信すると、スイッチング回路とＰＣＩＥ×１６コネクターとの間の接続を切断して、マザーボードがスイッチング回路及びＳＡＴＡコネクターを経由してＳＡＴＡハードディスクドライブと通信するようにして、ＳＡＳ信号を受信すると、スイッチング回路とＰＣＩＥ×１６コネクターとの間の接続を導通させて、マザーボードがＳＡＴＡコネクター、スイッチング回路、ＰＣＩＥ×１６コネクター、及びＳＡＳカードを経由してＳＡＳハードディスクドライブと通信するようにする。【選択図】図１
2012226739.tif 000002
【特許請求の範囲】
【請求項１】
スイッチング回路、ＳＡＴＡコネクター及びＰＣＩＥ×１６コネクターを備えるマザーボードであって、
前記スイッチング回路は、前記ＳＡＴＡコネクター及び前記ＰＣＩＥ×１６コネクターに接続され、前記ＰＣＩＥ×１６コネクターは、ＳＡＳカードに接続され、前記スイッチング回路は、受信した信号を判断して、前記スイッチング回路と前記ＰＣＩＥ×１６コネクターとの間の接続を制御し、前記スイッチング回路がＳＡＴＡ信号を受信すると、前記スイッチング回路と前記ＰＣＩＥ×１６コネクターとの間の接続を切断して、前記マザーボードが前記スイッチング回路及び前記ＳＡＴＡコネクターを経由してＳＡＴＡハードディスクドライブと通信するようにして、前記スイッチング回路がＳＡＳ信号を受信すると、前記スイッチング回路と前記ＰＣＩＥ×１６コネクターとの間の接続を導通させて、前記マザーボードが前記ＳＡＴＡコネクター、前記スイッチング回路、前記ＰＣＩＥ×１６コネクター、及び前記ＳＡＳカードを経由してＳＡＳハードディスクドライブと通信するようにすることを特徴とするマザーボード。
【請求項２】
前記ＳＡＳカードは、アダプターボードによって前記マザーボードのＰＣＩＥ×１６コネクターに接続され、前記アダプターボードは、ＰＣＩＥ×１６のゴールドフィンガ及びＰＣＩＥ×１６コネクターを有し、前記ＳＡＳカードは、前記アダプターボードのＰＣＩＥ×１６コネクターに挿入接続され、前記アダプターボードのゴールドフィンガは、前記マザーボードのＰＣＩＥ×１６コネクターに挿入接続されることを特徴とする請求項１に記載のマザーボード。
【請求項３】
前記ハードディスクドライブは、ＳＡＴＡケーブルによって、前記マザーボードのＳＡＴＡコネクターに接続されることを特徴とする請求項１又は２に記載のマザーボード。
【請求項４】
シャシーと、前記シャシー内に収容される複数のハードディスクドライブ、電源、マザーボード及びＳＡＳカードとを備えるサーバーであって、
各々のハードディスクドライブには、パワーインターフェース及びデータインターフェースが設けられ、前記ＳＡＳカードには、ＰＣＩＥ×１６のゴールドフィンガが設置され、
前記マザーボードは、スイッチング回路、ＳＡＴＡコネクター及びＰＣＩＥ×１６コネクターを備え、
前記スイッチング回路は、前記ＳＡＴＡコネクター及び前記ＰＣＩＥ×１６コネクターに接続され、前記ＰＣＩＥ×１６コネクターは、前記ＳＡＳカードに接続され、前記スイッチング回路は、受信した信号を判断して、前記スイッチング回路と前記ＰＣＩＥ×１６コネクターとの間の接続を制御し、前記スイッチング回路がＳＡＴＡ信号を受信すると、前記スイッチング回路と前記ＰＣＩＥ×１６コネクターとの間の接続を切断して、前記マザーボードが前記スイッチング回路及び前記ＳＡＴＡコネクターを経由してＳＡＴＡハードディスクドライブと通信するようにして、前記スイッチング回路がＳＡＳ信号を受信すると、前記スイッチング回路と前記ＰＣＩＥ×１６コネクターとの間の接続を導通させて、前記マザーボードが前記ＳＡＴＡコネクター、前記スイッチング回路、前記ＰＣＩＥ×１６コネクター、及び前記ＳＡＳカードを経由してＳＡＳハードディスクドライブと通信するようにすることを特徴とするサーバー。
【発明の詳細な説明】
【技術分野】
【０００１】
本発明は、マザーボードに関するものであり、特に異なるタイプのハードディスクを接続することができるマザーボード及びこのマザーボードを用いるサーバーに関するものである。
【背景技術】
【０００２】
サーバーに搭載されているハードディスクは、インターフェースの違いにより、主にＳＡＴＡ（Ｓｅｒｉａｌ  Ａｄｖａｎｃｅｄ  Ｔｅｃｈｎｏｌｏｇｙ  Ａｔｔａｃｈｍｅｎｔ）タイプとＳＡＳ（Ｓｅｒｉａｌ  Ａｔｔａｃｈｅｄ  ＳＣＳＩ）タイプとの２種類に大きく分かれる。ＳＡＴＡハードディスクが適用されているサーバーにＳＡＳハードディスクを搭載しようとする場合、サーバーにＳＡＳカードを挿入してから、ＳＡＳケーブルによってＳＡＳハードディスクとＳＡＳカードとを接続することが必要とされる。
【発明の概要】
【発明が解決しようとする課題】
【０００３】
しかし、ＳＡＳケーブルは厚いケーブルであるので、ＳＡＳカードとＳＡＳハードディスクとの間の距離が遠ければ、ＳＡＳケーブルは多くの空間を占用し、且つ複数のＳＡＳハードディスクを接続する場合、ＳＡＳケーブルはさらに多くなり、サーバーの放熱及び組立が不便となる。
【０００４】
本発明の目的は、前記課題を解決し、少ないケーブルを採用しても異なるタイプのハードディスクを接続することができるマザーボード、及びこのマザーボードを採用するサーバーを提供することである。
【課題を解決するための手段】
【０００５】
本発明に係るマザーボードは、スイッチング回路、ＳＡＴＡコネクター及びＰＣＩＥ×１６コネクターを備え、前記スイッチング回路は、前記ＳＡＴＡコネクター及び前記ＰＣＩＥ×１６コネクターに接続され、前記ＰＣＩＥ×１６コネクターは、ＳＡＳカードに接続され、前記スイッチング回路は、受信した信号を判断して、前記スイッチング回路と前記ＰＣＩＥ×１６コネクターとの間の接続を制御し、前記スイッチング回路がＳＡＴＡ信号を受信すると、前記スイッチング回路と前記ＰＣＩＥ×１６コネクターとの間の接続を切断して、前記マザーボードが前記スイッチング回路及び前記ＳＡＴＡコネクターを経由してＳＡＴＡハードディスクドライブと通信するようにして、前記スイッチング回路がＳＡＳ信号を受信すると、前記スイッチング回路と前記ＰＣＩＥ×１６コネクターとの間の接続を導通させて、前記マザーボードが前記ＳＡＴＡコネクター、前記スイッチング回路、前記ＰＣＩＥ×１６コネクター及び前記ＳＡＳカードを経由してＳＡＳハードディスクドライブと通信するようにする。
【０００６】
本発明に係るサーバーは、シャシーと、前記シャシー内に収容される複数のハードディスクドライブ、電源、マザーボード及びＳＡＳカードとを備え、各々のハードディスクドライブには、パワーインターフェース及びデータインターフェースが設けられ、前記ＳＡＳカードには、ＰＣＩＥ×１６のゴールドフィンガが設置され、前記マザーボードは、スイッチング回路、ＳＡＴＡコネクター及びＰＣＩＥ×１６コネクターを備え、前記スイッチング回路は、前記ＳＡＴＡコネクター及び前記ＰＣＩＥ×１６コネクターに接続され、前記ＰＣＩＥ×１６コネクターは、ＳＡＳカードに接続され、前記スイッチング回路は、受信した信号を判断して、前記スイッチング回路と前記ＰＣＩＥ×１６コネクターとの間の接続を制御し、前記スイッチング回路がＳＡＴＡ信号を受信すると、前記スイッチング回路と前記ＰＣＩＥ×１６コネクターとの間の接続を切断して、前記マザーボードが前記スイッチング回路及び前記ＳＡＴＡコネクターを経由してＳＡＴＡハードディスクドライブと通信するようにして、前記スイッチング回路がＳＡＳ信号を受信すると、前記スイッチング回路と前記ＰＣＩＥ×１６コネクターとの間の接続を導通させて、前記マザーボードが前記ＳＡＴＡコネクター、前記スイッチング回路、前記ＰＣＩＥ×１６コネクター及び前記ＳＡＳカードを経由してＳＡＳハードディスクドライブと通信するようにする。
【発明の効果】
【０００７】
本発明のサーバーは、マザーボードにスイッチング回路及び前記ＰＣＩＥ×１６コネクターを設置し、前記スイッチング回路を前記ＰＣＩＥ×１６コネクターに接続して、ＳＡＳハードディスクドライブを使用する場合、ＳＡＳカードの剰余ゴールドフィンガ及び前記スイッチング回路によって、前記ＳＡＳカードと前記ＳＡＳハードディスクドライブとの電気接続を実現して、これにより前記ＳＡＳハードディスクドライブと前記マザーボードとの間の通信を実現し、従って前記ＳＡＳハードディスクドライブを接続する場合、多くのＳＡＳケーブルの使用によってサーバーの放熱及び組立が不便となる問題を解決する。
【図面の簡単な説明】
【０００８】
【図１】本発明の実施形態に係るサーバーを示す図である。
【図２】図１に示すサーバーにおいて、マザーボードがＳＡＴＡハードディスク又はＳＡＳハードディスクに接続する状態を示す図である。
【発明を実施するための形態】
【０００９】
以下、図面を参照して、本発明の実施形態について説明する。
【００１０】
図１を参照すると、本発明の実施形態に係わるサーバー１００は、シャシー１０と、前記シャシー１０内に収容されるマザーボード２０と、電源２５と、ハードディスクドライブユニット３０と、ＳＡＳカード４０と、アダプターボード７０と、を備える。本実施形態において、前記アダプターボード７０は、ＰＣＩＥ×１６のゴールドフィンガ７３及びＰＣＩＥ×１６コネクター７２を有し、前記ＳＡＳカード４０は、ＰＣＩＥ×１６のゴールドフィンガ４２を有するＳＡＳカードである。
【００１１】
前記ハードディスクドライブユニット３０は、ハウジング３２、及び前記ハウジング３２内に収容される複数のハードディスクドライブ３１を備える。前記ハウジング３２は、前記シャシー１０の前端部分に固定されており、且つ前記シャシー１０の前側に向かって開口３３が設けられており、前記ハードディスクドライブ３１が前記開口３３から前記ハウジング３２内に挿入されるか、又は前記ハウジング３２から前記ハードディスクドライブ３１が取り出される。前記ハードディスクドライブ３１は、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）ハードディスクドライブ又はＳＡＳ（Ｓｅｒｉａｌ  Ａｔｔａｃｈｅｄ  ＳＣＳＩ）ハードディスクドライブである。各々の前記ハードディスクドライブ３１のバックエンドには、パワーインターフェース３５及びデータインターフェース３７が設けられる。前記データインターフェース３７は、ＳＡＴＡインターフェース又はＳＡＳインターフェースである。
【００１２】
前記マザーボード２０は、前記シャシー１０の底面に設置される。前記マザーボード２０には、前記ハードディスクドライブ３１のデータインターフェース３７に対応する複数のＳＡＴＡコネクター２２、スイッチング回路８０、及びＰＣＩＥ×１６コネクター２４が設置される。前記ＳＡＳカード４０は、前記マザーボード２０とＳＡＳハードディスクドライブとが通信する際の変換機能を実現するために用いられる。前記ＳＡＳカード４０は、そのＰＣＩＥ×１６のゴールドフィンガ４２によって前記アダプターボード７０のＰＣＩＥ×１６コネクター７２に接続され、前記アダプターボード７０は、そのＰＣＩＥ×１６のゴールドフィンガ７３によって前記マザーボード２０のＰＣＩＥ×１６コネクター２４に接続されて、これにより前記ＳＡＳカード４０と前記マザーボード２０との通信が実現する。前記スイッチング回路８０は、前記ＳＡＴＡコネクター２２及び前記ＰＣＩＥ×１６コネクター２４に接続される。前記電源２５には、前記ハードディスクドライブ３１のパワーインターフェース３５に対応する複数の電源インターフェース（図示せず）が設けられる。本実施形態において、前記ＳＡＳカード４０を前記サーバー１００に挿入接続する際に、前記サーバー１００の組立に影響しなければ、ＰＣＩＥ×１６のゴールドフィンガ４２によって前記ＳＡＳカード４０を前記マザーボード２０のＰＣＩＥ×１６コネクター２４に直接的に挿入接続することもできる。
【００１３】
図２を参照すると、前記ハードディスクドライブ３１がＳＡＴＡハードディスクドライブである場合、前記ハードディスクドライブ３１のパワーインターフェース３５は、ケーブル５０によって前記電源２５の電源インターフェースに接続され、前記ハードディスクドライブ３１のデータインターフェース３７（即ちＳＡＴＡインターフェース）は、ＳＡＴＡケーブル６０によって前記マザーボード２０のＳＡＴＡコネクター２２に接続される。それから前記サーバー１００をパワーオンすると、前記スイッチング回路８０は、前記ＳＡＴＡコネクター２２及び前記ＳＡＴＡケーブル６０によって前記ハードディスクドライブ３１からのＳＡＴＡ信号を受信し、前記スイッチング回路８０と前記ＰＣＩＥ×１６コネクター２４との接続を切断して、前記スイッチング回路８０及び前記ＳＡＴＡコネクター２２を経由して前記マザーボード２０が前記ＳＡＴＡハードディスクドライブ３１と通信するようにする。
【００１４】
前記ハードディスクドライブ３１がＳＡＳハードディスクドライブである場合、前記ハードディスクドライブ３１のパワーインターフェース３５は、ケーブル５０によって前記電源２５の電源インターフェースに接続され、前記ハードディスクドライブ３１のデータインターフェース３７（即ちＳＡＴＡインターフェース）は、ＳＡＳコネクターと互換性を持つＳＡＴＡケーブル６０によって、前記マザーボード２０のＳＡＴＡコネクター２２に接続される。それから前記サーバー１００をパワーオンすると、前記スイッチング回路８０は、前記ＳＡＴＡコネクター２２及び前記ＳＡＴＡケーブル６０によって前記ハードディスクドライブ３１からのＳＡＳ信号を受信する。前記ＳＡＳカード４０と前記マザーボード２０とはＰＣＩＥ×８のゴールドフィンガだけで通信を実現することができるので、本実施形態において、ＰＣＩＥ×１６の一部分のゴールドフィンガを使用して、前記ＳＡＳカード４０と前記マザーボード２０とが通信することができ、従って前記ＳＡＳカード４０のＰＣＩＥ×１６のゴールドフィンガ４２の剰余のゴールドフィンガは、前記アダプターボード７０、及び前記マザーボード２０のＰＣＩＥ×１６コネクター２４の対応する端子を介して前記スイッチング回路８０に接続される。このように前記スイッチング回路８０がＳＡＳ信号を受信すると、即ち前記ハードディスクドライブ３１がＳＡＳハードディスクドライブであると、前記スイッチング回路８０は、前記スイッチング回路８０と前記ＰＣＩＥ×１６コネクター２４との間の接続を導通させて、前記ＰＣＩＥ×１６コネクター２４の剰余のゴールドフィンガによって前記ＳＡＳカード４０と通信し、さらに前記マザーボード２０との通信を実現させて、これにより前記ＳＡＳハードディスクドライブ３１と前記マザーボード２０との間の通信を実現する。
【００１５】
前記サーバー１００は、前記マザーボード２０に前記スイッチング回路８０及び前記ＰＣＩＥ×１６コネクター２４を設置し、且つ前記スイッチング回路８０を前記ＰＣＩＥ×１６コネクター２４に接続して、ＳＡＳハードディスクドライブを使用する場合、前記ＳＡＳカード４０の剰余ゴールドフィンガ及び前記スイッチング回路８０によって、前記ＳＡＳカード４０と前記ＳＡＳハードディスクドライブとの電気接続を実現して、前記ＳＡＳハードディスクドライブと前記マザーボード２０との間の通信を実現し、従って前記ＳＡＳハードディスクドライブを接続する場合、多くのＳＡＳケーブルの使用によるサーバーの放熱及び組立が不便である問題を解決する。
【００１６】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲から決まる。
【符号の説明】
【００１７】
１０  シャシー
２０  マザーボード
２２  ＳＡＴＡコネクター
２４，７２  ＰＣＩＥ×１６コネクター
２５  電源
３０  ハードディスクドライブユニット
３１  ハードディスクドライブ
３２  ハウジング
３３  開口
３５  パワーインターフェース
３７  データインターフェース
４０  ＳＡＳカード
４２，７３  ゴールドフィンガ
５０  ケーブル
６０  ＳＡＴＡケーブル
７０  アダプターボード
８０  スイッチング回路
１００  サーバー
【図１】
2012226739.tif 000003
【図２】
2012226739.tif 000004